(57)【要約】【課題】  ズーム操作部材が傾くことを防ぐことを可能とすることである。【解決手段】  初期位置から予め決められた範囲で回動可能な回動部と、複数の導電パターンを有する基板と、弾性部分を備え、当該弾性部分が変形した状態で基板の複数の導電パターンと接触する、回動部の基板と向かい合う面に保持された接触部材と、回動部を初期位置に付勢するための腕部を備えた付勢部材と、を有し、腕部は更に、回動部の接触部材が保持されている面であって回動部の回動中心に対して接触部材が保持されている側とは反対側を回動部の回動方向と直交する方向に付勢することを特徴とする構成とした。【選択図】  図３
2015052640.tif 000002
【特許請求の範囲】
【請求項１】
初期位置から予め決められた範囲で回動可能な回動部と、
複数の導電パターンを有する基板と、
弾性部分を備え、当該弾性部分が変形した状態で前記基板の複数の導電パターンと接触する、前記回動部の前記基板と向かい合う面に保持された接触部材と、
前記回動部を前記初期位置に付勢するための腕部を備えた付勢部材と、
を有し、
前記腕部は更に、前記回動部の前記接触部材が保持されている面であって前記回動部の回動中心に対して前記接触部材が保持されている側とは反対側を前記回動部の回動方向と直交する方向に付勢することを特徴とする電子機器。
【請求項２】
前記付勢部材の腕部は、前記回動部の前記接触部材が保持されている面に向けて少なくとも一部が凸形状であって、該凸形状の部分が前記回動部と当接することで前記回動部を付勢することを特徴とする請求項１に記載の電子機器。
【請求項３】
前記腕部は、前記回動部の所定の範囲を付勢可能であって、前記回動部を回動した場合であっても、前記回動部の前記接触部材が保持されている側とは反対側を含むように付勢可能な範囲が変化することを特徴とする請求項１又は２に記載の電子機器。
【請求項４】
前記回動部は、前記回動部の回動中心に対して前記回動部の前記接触部材が保持された位置と対称の位置に、前記腕部によって前記回動部の回動方向と直交する方向に付勢された力が作用することを特徴とする請求項１乃至３の何れか一項に記載の電子機器。
【請求項５】
前記回動部は、初期位置から予め決められた範囲で回動操作が可能な操作部材と、前記操作部材と一体となって動く保持部材とによって構成され、
前記保持部材は、前記接触部材を保持し、前記接触部材が保持されている面であって前記保持部材の回動中心に対して前記接触部材が保持されている側とは反対側を前記腕部によって前記保持部材の回動方向と直交する方向に付勢されることを特徴とする請求項１乃至４の何れか一項に記載の電子機器。
【請求項６】
前記保持部材は、前記操作部材の回動を規制するために前記腕部と当接し挟み込まれる位置に突出した回動規制部を有することを特徴とする請求項５に記載の電子機器。
【請求項７】
前記腕部は前記保持部材の二つ以上の異なる位置を付勢可能であって、
前記腕部の前記保持部材を付勢する位置の間に、前記保持部材に前記接触部材が保持されている位置と前記保持部材の回動中心とを結んだ直線が含まれることを特徴とする請求項６に記載の電子機器。
【請求項８】
前記腕部は、前記回動規制部の複数の位置と当接可能であることを特徴する請求項６又は７に記載の電子機器。
【請求項９】
前記腕部は、前記回動規制部を挟み込んで当接していて、前記操作部材の回動に応じて前記操作部材が回動する方向の前記回動規制部との当接が解除されることを特徴とする請求項６乃至８の何れか一項に記載の電子機器。
【請求項１０】
前記回動部の回動角度に応じて前記接触部材と前記基板の複数の導電パターンの内の接触位置とが変化することで制御値が切り替わることを特徴とする請求項１乃至９の何れか一項に記載の電子機器。
【請求項１１】
初期位置から予め決められた範囲で回動可能な回動部と、
前記回動部に第１の力を伝達する、前記回動部に保持された接触部材と、
前記回動部を初期位置に付勢するための腕部を備えた付勢部材と、
を有し、
前記腕部は更に、前記回動部の前記接触部材が保持された位置とは異なる位置を付勢可能であって、前記第１の力による前記回動部の動きを低減する第２の力で前記回動部を付勢することを特徴とする電子機器。
【発明の詳細な説明】
【技術分野】
【０００１】
本発明は、操作部材への操作量に応じて対応する機能の制御値を切り換えることが出来る電子機器に関する。
【背景技術】
【０００２】
従来、撮像装置のような電子機器において、撮像光学系の焦点距離を変更する機能、所謂ズーム機能を有しているものが一般的に知られている。このようなズーム機能は、撮像装置外装部に設けられたズーム操作部材を操作していない状態の初期位置（非操作位置）から所定の方向に回動操作することで、撮影光学系の焦点距離をワイド側、並びにテレ側へ切り替えることが出来る。
【０００３】
また、近年の撮像装置においては、ズーム操作部材の操作量により、ズーム倍率を変更する速度を低速から高速へと段階的に制御することが知られている。特許文献１では、ズームレバーをテレ方向又はワイド方向へと回動させた場合に、トーションばねの復帰力によってズームレバーを中立位置に戻すように構成された電子機器を提案している。
【０００４】
更に、特許文献１では、ズームレバーの回動操作を検出する機構として、ズーム操作部材と一体的に回転するブラシが慴動可能な位置に、操作プリント基板を設けるように構成された電子機器を提案している。詳しくは、ズームレバーの回動角度に応じてブラシに形成された金属ブラシ部が、操作プリント基板上に設けられたズーム接点部上を慴動することで回転角度の検出（ズーム倍率の切り替え）を行うような構成が開示されている。
【先行技術文献】
【特許文献】
【０００５】
【特許文献１】特開２０１２−８２６９号公報
【発明の概要】
【発明が解決しようとする課題】
【０００６】
しかしながら、特許文献１に開示された従来技術は、ブラシの金属ブラシ部が操作プリント基板を慴動することによりブラシが固定されている固定板に生じる、ズームレバーの回転軸方向の力については何ら考慮されていない。
【０００７】
そのため、ブラシが固定されている固定板にズームレバーの回転軸方向の力が作用することで該固定板に固定されているズームレバーが傾いてしまう可能性があった。
【０００８】
従って、ユーザがズームレバーを操作する際に、該ズームレバーが傾くことによる違和感が生じてしまう可能性があった。
【０００９】
また、ズームレバーの中央部にシャッターボタンを設けるような構成においては、ユーザがシャッターボタンを操作する時に、該シャッターボタンよりも先に、傾いたズームレバーがユーザの指などに接触してしまう。この場合、ユーザが意図した操作が正しく入力されない可能性があった。
【００１０】
上述した問題に鑑みて、本発明の目的は、ズーム操作部材が傾くことを防ぐことを可能とすることである。
【課題を解決するための手段】
【００１１】
上記目的を達成するための本発明としての電子機器は、初期位置から予め決められた範囲で回動可能な回動部と、複数の導電パターンを有する基板と、弾性部分を備え、当該弾性部分が変形した状態で前記基板の複数の導電パターンと接触する、前記回動部の前記基板と向かい合う面に保持された接触部材と、前記回動部を前記初期位置に付勢するための腕部を備えた付勢部材と、を有し、前記腕部は更に、前記回動部の前記接触部材が保持されている面であって前記回動部の回動中心に対して前記接触部材が保持されている側とは反対側を前記回動部の回動方向と直交する方向に付勢することを特徴とする。
【００１２】
また、上記目的を達成するための他の本発明としての電子機器は、初期位置から予め決められた範囲で回動可能な回動部と、前記回動部に第１の力を伝達する、前記回動部に保持された接触部材と、前記回動部を初期位置に付勢するための腕部を備えた付勢部材と、を有し、前記腕部は更に、前記回動部の前記接触部材が保持された位置とは異なる位置を付勢可能であって、前記第１の力による前記回動部の動きを低減する第２の力で前記回動部を付勢することを特徴とする。
【発明の効果】
【００１３】
本発明によれば、ズーム操作部材が傾くことを防ぐことができる。
【図面の簡単な説明】
【００１４】
【図１】（ａ）本発明の第１実施形態に係る撮像装置を前面から見た外観斜視図である。（ｂ）本発明の第１実施形態に係る撮像装置を下面から見た外観斜視図である。
【図２】本発明の第１実施形態に係る撮像装置のズームレバーユニット近傍の分解図である。
【図３】（ａ）本発明の第１実施形態に係る撮像装置の、ズームレバーユニットの内部を下面方向から観た斜視図である。（ｂ）本発明の第１実施形態に係る撮像装置のズーム付勢ばねとブラシホルダーを例示的に示す図である。
【図４】本発明の第１実施形態に係る撮像装置のズームレバーユニット内部の各部の位置関係を例示的に示す図である。
【図５】（ａ）本発明の第１実施形態に係る撮像装置のズームレバー４の近傍を上面から見た部分拡大図である。（ｂ）図５（ａ）に示すＡ−Ａ断面図である。
【図６】本発明の変形例に係る撮像装置のズーム付勢ばねとブラシホルダーを例示的に示す図である。
【発明を実施するための形態】
【００１５】
（第１実施形態）
以下、図面を参照して本発明の第１実施形態について説明する。
【００１６】
図１は本実施形態に係る電子機器であるカメラ（撮像装置）１の外観斜視図であり、図１（ａ）は被写体側である前面から見た斜視図、図１（ｂ）はカメラ１を背面側下面から見た斜視図である。尚、本実施形態において、後述の撮影レンズ鏡筒（以下、撮影レンズと称す）２が設けられている側をカメラ１の前面、その反対側を背面とする。また、後述のズームレバー４の回動軸方向であって、該ズームレバー４が設けられている方向をカメラ１の上面（上方向）とし、その反対側を下面（下方向）とする。
【００１７】
カメラ１の前面には、被写体像を撮像素子に結像する沈胴式の撮影レンズ２が備わっている。そして、撮影レンズ２はズームレンズを含む複数のレンズ群からなり、後述するズームレバー４の操作量に応じてズームレンズを駆動させることで光学式ズーム機能を実現する。尚、図１（ａ）に示す状態が、撮影レンズ２が沈胴してカメラ１の内部に収まっている状態である。
【００１８】
カメラ１の内部には、撮影レンズ２によって導かれた光を光電変換してアナログ画像デ−タを生成するためのＣＣＤイメージセンサーやＣＭＯＳイメ−ジセンサなど、本実施形態の撮像手段である不図示の撮像素子が設けられている。そして、該撮像素子で生成したアナログ画像デ−タは、カメラ１に実装された不図示の信号処理基板に設けられた処理回路によりゲイン調整、サンプリング、Ａ／Ｄ、Ｄ／Ａ変換等の処理が行われる。尚、信号処理基板には、画像処理やカメラ１全体のシステム制御などを行う不図示の制御部や、カードＩ／Ｆ（記録媒体スロット）やシリアルＩ／Ｆを含む不図示のＩ／Ｆ等が設けられている。
【００１９】
カメラ１の上面に設けられているレリーズボタン３は撮影準備動作及び撮影動作の開始を指示するためのものである。尚、レリーズボタン３は２段階の押圧操作が可能であり、半押し操作（ｓｗ１）で測光動作や測距動作等の撮影準備動作が開始される。そして、レリーズボタン３の全押し操作（ｓｗ２）で被写体の撮像と、前述した画像デ−タの記録が行われる。
【００２０】
ズームレバー４は、光学式ズーム機能やデジタル式ズーム機能を実行するためのズーム操作が可能な操作部材であり、レリーズボタン３の中心を回動中心として初期位置から予め決められた回動角度の範囲で回動可能である。そして、不図示の制御部が、ズームレバー４の回動角度に応じてズーム倍率の切替えを行う。尚、カメラ１の上面から見て、ズームレバー４を時計回りに回動させることでテレ側（画角が狭くなる方向）へのズーム倍率の切り替えが実行される。また、ズームレバー４を反時計回りに回動させることでワイド側（画角が広がる方向）へのズーム倍率の切り替えが実行される。
【００２１】
尚、本実施形態において、ズームレバー４はズーム倍率の切り替えだけでなく、ズームレバー４への操作量に応じて、ズーム倍率の切り替え以外の対応する機能の制御値を切り替えることができる。例えば、撮影画像を後述の表示部８に表示している場合は、ズームレバー４の操作量に応じて該表示部８に表示される撮影画像の枚数を増減させることなどが可能である。
【００２２】
電源ボタン５は、カメラ１の電源をＯＮ状態とＯＦＦ状態とで切替えるためのものである。
【００２３】
モードダイヤル６は、複数の撮影モードの中から任意の撮影モードを選択するためのものである。
【００２４】
コネクトカバー７は、各種外部デバイスに接続するための端子類を保護するための開閉可能なカバー部材であり、コネクトカバー７を開いた状態において端子類とそれに対応する各種デバイスとの接続が可能である。
【００２５】
表示部８は、撮影画像の確認・再生、撮影条件等の各種情報を表示するため液晶や有機ＥＬ等からなる表示部である。
【００２６】
操作ボタン群９は、カメラ１において撮影条件の変更や表示部８の表示形式の変更などの機能を指示するための入力部である。
【００２７】
蓋部１０は、不図示の電池室に収納された電池を覆うとともに、撮影して取得したデータを記録するためのメモリーカード等の記録媒体の挿入口を覆うための開閉可能な蓋である。
【００２８】
前面カバー１１、背面カバー１２、及びトップカバー１３は、それぞれカメラ１の前面部分、背面部分、及び上面部分を覆うための外装部である。
【００２９】
図２は、図１に示したカメラ１のズームレバーユニット、操作基板２１、シャーシ２２の分解図である。尚、ズームレバーユニットは、レリーズボタン３、コイルばね１４、ズームレバー４、トップカバー１３、ブラシホルダー１５、ズーム付勢ばね１６、付勢ばね固定ビス１７、スペーサー１８、ブラシ１９、固定ビス２０から構成されている。そして、ズームレバーユニットの直下には、シャーシ２２の上面に設けられた操作基板２１が取り付けられている。以下、本実施形態におけるカメラ１のズームレバーユニットについて説明する。
【００３０】
レリーズボタン３の内面（トップカバー１３側の面）に形成された爪部には、上下方向に変形可能なコイルばね１４が取り付けられており、レリーズボタン３は、該コイルばね１４によって上方向へ付勢されている。そして、コイルばね１４がズームレバー４に抜け止めされた状態で、レリーズボタン３とズームレバー４とがトップカバー１３の開口部分に取り付けられている。
【００３１】
従って、レリーズボタン３をトップカバー１３側へと押圧すると、レリーズボタン３に形成された押し子が、該レリーズボタン３の下面の側に配置された操作基板２１上のレリーズスイッチ２１ａを押圧し、レリーズ操作（ｓｗ１、ｓｗ２）が入力される。そして、コイルばね１３によって、操作後のレリーズボタン３は、押圧前の状態（待機位置）となるように付勢される。
【００３２】
トップカバー１３のズームレバー４が取り付けられた面と反対側の面には、本実施形態の保持部材である導電材料からなるブラシホルダー１５が設けられている。ここで、ズームレバー４とブラシホルダー１５は、トップカバー１３を挟み込んで固定ビス２０により固定されている。従って、ズームレバー４とブラシホルダー１５とは、一体的に回動可能な状態でトップカバー１３に取り付けられて（支持されて）いる。
【００３３】
また、本実施形態の接触部材である後述のブラシ１９も、スペーサー１８を挟み込んだ状態で、固定ビス２０によってブラシホルダー１５に保持されて（取り付けられて）いる。即ち、本実施形態では、ブラシホルダー１５と該ブラシホルダー１５に保持されたブラシ１９は、ズームレバー４と一体的に回動可能である。
【００３４】
ここで、ブラシ１９のブラシホルダー１５に保持されている側（方向）とは逆の先端は、二股に分かれた導電材料からなる弾性部分の切片を２つ有している。そして、この接片が後述の操作基板２１上に設けられた複数の導電パターン２１ｂ、２１ｃ、２１ｄと電気的に接触することによって、ズームレバー４の回動角度（回動量）の検出が行われる。
【００３５】
ここで、上述したブラシ１９の接片は、撓んだ状態で操作基板２１の複数の導電パターンと電気的に安定して接触する必要がある。従って、図５に示すように、操作基板２１からの反力Ｆ２（第１の力）がブラシ１９を伝達してブラシホルダー１５の回動方向と直交する方向に作用する。即ち、ブラシ１９が保持されているブラシホルダー１５の位置に反力Ｆ２が作用してしまう。この場合、反力Ｆ２によって、ブラシホルダー１５と、該ブラシホルダー１５に固定されているズームレバー４は所定の方向に傾いてしまう。
【００３６】
そこで、本実施形態では、ズームレバー４の傾き（動き）を防止（低減）するように、ズーム付勢ばね１６によって、ブラシホルダー１５に対する該ブラシホルダー１５の回動方向と直交する方向を付勢することで上述の問題を解決する。以下、その詳細について順に説明する。
【００３７】
図３は本実施形態に係る電子機器であるカメラ１のズームレバーユニット内部を説明する図である。図３（ａ）は、ズームレバーユニットの内部を下面方向から観た場合の斜視図、図３（ｂ）は、ブラシホルダー１５とズーム付勢ばね１６との関係を説明した図である。尚、図中では説明のために、トップカバー１３の壁の一部の記載を省略している。以下、本実施形態におけるズームレバーユニット内の構成と動作の例について図３を参照して説明する。
【００３８】
本実施形態の付勢部材であるズーム付勢ばね（以下、付勢ばねと称す）１６は、付勢ばね固定ビス１７によってトップカバー１３の内面（カメラ１の下面の側）に固定されている。ここで、付勢ばね１６の腕部である腕部１６ａは、ズームレバー４が初期位置にある状態で、ブラシホルダー１５から突出したばね受け部（回動規制部）１５ａを挟み込むようにブラシホルダー１５と当接している。従って、ブラシホルダー１５は、腕部１６ａによってブラシホルダー１５の回動方向に付勢されている。即ち、ブラシホルダー１５は、ズーム付勢ばね１６によって初期位置となるように付勢されている。
【００３９】
また、ブラシホルダー１５には、トップカバー１３から突出して設けられたズームストッパー１３ａを挿通可能とする開口部が設けられている。従って、ブラシホルダー１５の回動に応じて、ズームストッパー１３ａが該開口部内の側面部１５ｂ、１５ｃとそれぞれ当接する。
【００４０】
例えば、ズームレバー４を時計回り、及び反時計回りにそれぞれ回転させた場合は、ズームレバー４と一体的に回動するブラシホルダー１５の開口部の側面部１５ｂ、１５ｃが、トップカバー１３に形成されたズームストッパー１３ａに当接する。即ち、ブラシホルダー１５（及びズームレバー４）が所定の角度以上に回動せずに、停止するように構成されている。
【００４１】
以下、本実施形態に係るカメラ１の特徴的な構成である腕部１６ａの詳細について説明する。
【００４２】
腕部１６ａは、該腕部１６ａの根元（付勢ばね１６から腕部１６ａが延出される位置）からブラシホルダー１５の回動軸（回動中心）であるＺ軸に向かって、一部が曲線を描くように折り曲げられ（折り返され）ている。即ち、腕部１６ａの、折り返しが始まる位置（Ｚ軸に最も近い位置）から先端部分までの間は、曲線を描くよう折り返されている。
【００４３】
この腕部１６ａの折り返された位置から先端部分までの曲線部分が、本実施形態におけるホルダー付勢部１６ｂであって、該ホルダー付勢部１６ｂは、ブラシホルダー１５に向かってかまぼこ状のような凸形状に形成されている。
【００４４】
そして、ブラシホルダー１５は、上述のホルダー付勢部１６ｂによって該ブラシホルダー１５の回動方向と直交する方向に付勢力ｆ１、ｆ１’で付勢される。即ち、腕部１６ａは、凸形状のホルダー付勢部１６ｂがブラシホルダー１５のブラシ１９が保持されている側の面を付勢するように設けられている。
【００４５】
従って、図４に示すように、ホルダー付勢部１６ｂから付勢力ｆ１とｆ１’の合力である付勢力Ｆ１（第２の力）でブラシホルダー１５を付勢することで、ブラシホルダー１５、及びズームレバー４が傾くことを防止することが出来る。ここで、本実施形態においてブラシホルダー１５が傾いている状態とは、例えば、付勢ばね固定ビス１７の中心軸とブラシホルダー１５の回動軸との関係が略平行ではない状態などである。
【００４６】
尚、本実施形態において、ホルダー付勢部１６ｂがかまぼこ状のような凸形状であるのは、ブラシホルダー１５がどのような角度を有して傾いた場合であっても、適正な方向にブラシホルダー１５を付勢するためである。
【００４７】
また、前述したように、ばね受け部１５ａは腕部１６ａに挟み込まれて当接している。このとき、腕部１６ａの根元の近傍の位置である当接部１６ｃと、先端部分の近傍の当接部１６ｄの位置で、腕部１６ａとばね受け部１５ａとが当接する。即ち、腕部１６ａは、ばね受け部１５ａの１側面当たりの２点（両側面で４点）と当接している。この構成によって、ブラシホルダー１５が回動した場合であっても、腕部１６ａが倒れ、ホルダー付勢部１６ｂが適正にブラシホルダー１５と当接しない状態となることを防ぐことが出来る。即ち、ホルダー付勢部１６ｂからブラシホルダー１５の回動軸と直交する方向への付勢力Ｆ１が減少してしまうことを極力抑制することが出来る。
【００４８】
以下、図４を参照して、本実施形態において、ズームレバー４を操作した状況ごとのブラシ１９と付勢ばね１６の腕部１６ａとの関係について説明する。尚、図４はズームレバーユニットを構成する各部の位置関係を例示的に示した図であり、（ａ）、（ｃ）、（ｅ）は、それぞれズームレバー４が初期位置、テレ側位置、ワイド側位置にある状態を示した模式図である。また、図４（ｂ）、（ｄ）、（ｆ）は、上述の図４（ａ）、（ｃ）、（ｅ）のそれぞれの状態に対応したズームレバーユニットの斜視図を示している。
【００４９】
前述したように、ブラシ１９は、ブラシホルダー１５とズームレバー４に固定ビス２０で固定され、ズームレバー４と一体となって回動する。ここで、本実施形態においてズームレバー４の回動量の検出は、前述したようにブラシ１９の２つの接片と、操作基板２１の複数の導電パターンとの接触位置が変化する（切り替わる）ことで行われる。
【００５０】
詳細としては、図４（ａ）に示す、ズームレバー４が初期位置にある状態では、ブラシ１９の２つある内の切片の両方が、操作基板２１の導電パターン２１ｂと接触している。
【００５１】
また、図４（ｃ）に示す、ズームレバー４がテレ側にズーム操作されている状態では、ブラシ１９の切片の一方が、操作基板２１の導電パターン２１ｂと接触し、もう一方が導電パターン２１ｄと接触している。尚、この状態で、ブラシホルダー１５が回動する方向（テレ側）の当接部１６ｃ、１６ｄでのばね受け部１５ａと腕部１６ａとの当接は解除される。
【００５２】
更に、図４（ｅ）に示す、ズームレバー４がワイド側にズーム操作されている状態では、ブラシ１９の切片の一方が、操作基板２１の導電パターン２１ｂと接触し、もう一方が導電パターン２１ｃと接触している。尚、この状態で、ブラシホルダー１５が回動する方向（ワイド側）の当接部１６ｃ、１６ｄでのばね受け部１５ａと腕部１６ａとの当接は解除される。以上説明した３つの状態に応じてズームレバー４の回動量の検出が行われる。
【００５３】
ここで、ブラシホルダー１５に作用するブラシホルダー１５の回動方向と直交する方向の力について、図５を参照して説明する。図５は、ズームレバー４が初期位置にある状態のズームレバーユニットを説明する図であり、（ａ）は、ズームレバーユニットを上面からみた外観図、図５（ｂ）は、図５（ａ）のＡ−Ａ断面図である。
【００５４】
前述したように、ブラシホルダー１５には、ホルダー付勢部１６ｂが付勢する位置から付勢力ｆ１、ｆ１’の合力である付勢力Ｆ１と、ブラシ１９が保持された位置からブラシ１９を伝達して操作基板２１からの反力Ｆ２が、それぞれ作用している。この時、付勢力Ｆ１は、ブラシホルダー１５に当接する２つのホルダー付勢部１６ｂの略中心位置（付勢力ｆ１、ｆ１’が作用する位置の略中心）でブラシホルダー１５に作用する。尚、上述の付勢力Ｆ１及び反力Ｆ２は、どちらもブラシホルダー１５の操作基板２１が設けられている側の面に作用している。
【００５５】
図５（ｂ）からわかるように、ズームレバー４が初期位置にある場合は、ブラシホルダー１５の回動中心（Ｚ軸）に対してブラシホルダー１５に作用する反力Ｆ２の略反対側の位置に、ホルダー付勢部１６ｂから付勢力Ｆ１が作用している。この付勢力Ｆ１によって、反力Ｆ２が作用することで生じるブラシホルダー１５の傾き（動き）が防止（低減）される。
【００５６】
即ち、ズームレバー４が初期位置にある場合は、反力Ｆ２が作用するブラシホルダー１５に対して、付勢力Ｆ１を作用させることでブラシホルダー１５の全体に作用する力を略平衡化した状態にすることが出来る。
【００５７】
以下、図４に戻り、ズームレバー４を回動した時の反力Ｆ２と付勢力Ｆ１との関係について説明する。図５（ｂ）の状態と同様に、図４（ａ）、（ｂ）に示すズームレバー４が初期位置にある場合は、前述したように、付勢力Ｆ１と反力Ｆ２とが、ブラシホルダー１５の回動中心（Ｚ軸）に対してそれぞれ対称の位置に作用している。この場合、前述したように、付勢力Ｆ１によってズームレバー４の傾き（動き）を防止（低減）することが出来る。
【００５８】
尚、この時、腕部１６ａの付勢部材１６ｄが付勢力ｆ１、ｆ１’で付勢するブラシホルダー１５の位置の間に、ブラシホルダー１５のブラシ１９が保持されている位置と回動中心（Ｚ軸）とを結んだ直線が通る。このような、腕部１６ａとブラシ１９及びブラシホルダー１５との関係が満たされていれば、付勢力Ｆ１と反力Ｆ２がブラシホルダー１５上の対称の位置に作用しなかったとしても、ズームレバー４の傾きを防止する効果を得ることが出来る。
【００５９】
次に、ズームレバー４がテレ側に操作されている場合（図４（ｃ）、（ｄ））は、反力Ｆ２はブラシ１９の根元でブラシホルダー１５に作用する。そして、腕部１６ａのホルダー付勢部１６ａの付勢力Ｆ１は、腕部１６ａの二つのホルダー付勢部１６ｂとブラシホルダー１５とが当接する位置の中心位置でブラシホルダー１５に作用する。
【００６０】
この場合もズームレバー４が初期位置に有る場合と同様に、ブラシホルダー１５の回転中心（Ｚ軸）に対して、付勢力Ｆ１と反力Ｆ２は、それぞれ対称の位置に作用している。従って、ズームレバー４がテレ側にある場合も、付勢力Ｆ１によってズームレバー４の傾き（動き）を防止（低減）することが出来る。
【００６１】
更に、ズームレバー４がワイド側に操作されている場合（図４（ｅ）、（ｆ））も、反力Ｆ２はブラシ１９の根元でブラシホルダー１５に作用する。そして、腕部１６ａのホルダー付勢部１６ａの付勢力Ｆ１は、腕部１６ａの二つのホルダー付勢部１６ｂとブラシホルダー１５とが当接する位置の中心位置でブラシホルダー１５に作用する。従って、ズームレバー４がワイド側にある場合も、付勢力Ｆ１によってズームレバー４の傾きを防止することが出来る。
【００６２】
即ち、ズームレバー４を回動させた場合であっても、ホルダー付勢部１６ｂは、ブラシホルダー１５のブラシ１９が保持されている面であってブラシ１９が保持されている位置とは反対側の位置を付勢力Ｆ１で付勢することが出来る。そしてこの場合も、反力Ｆ２が作用するブラシホルダー１５に対して付勢力Ｆ１を作用させることで、該ブラシホルダー１５に作用する力を略平衡化することが可能である。
【００６３】
以上説明したように、本実施形態では、ブラシホルダー１５の、ブラシ１９が保持された面であって、ブラシホルダー１５の回動中心に対してブラシ１９が保持されている側の位置（反力Ｆ２が作用する位置）とは反対側の位置に付勢力Ｆ１を付勢可能である。そのため、ズームレバー４が傾く（動く）ことを防止（低減）することが可能となる。
【００６４】
また、本実施形態では、ブラシホルダー１５に付勢力Ｆ１を付勢する部材として付勢ばね１６の腕部１６ａを用いている。即ち、ズームレバー４を初期位置へと付勢するための部材を用いて、ブラシホルダー１５を、該ブラシホルダー１５の回動方向と直交する方向に付勢力Ｆ１で付勢している。
【００６５】
従って、ブラシホルダー１５の回動方向及び回動方向と直交する方向に対する付勢を同一の部材で行うことが出来るため、部品点数を増やさずにズームレバー４を初期位置へ戻す効果と、ズームレバー４が傾くことを防止する効果の双方を得ることが可能である。
【００６６】
更に、図４の各図からわかるように、本実施形態では、２つの腕部１６ａは、ばね受け部１５ａを挟み込んだ状態であって、ブラシホルダー１５の異なる２つの位置で該ブラシホルダー１５の付勢をしている。即ち、ホルダー付勢部１６ｂからブラシホルダー１５に作用する付勢力Ｆ１は、ブラシホルダー１５のブラシが保持されている面の異なる２つの位置に作用する。
【００６７】
この構成によって、付勢力Ｆ１を、ブラシホルダー１５の一点だけでなく二点から分散して作用させることが出来るため、ズームレバー４の傾き（動き）をより効果的に防止（低減）することが出来る。
【００６８】
更に、ズームレバー４をテレ側、又はワイド側に回動させた場合は、該ズームレバー４の回動に応じて、ホルダー付勢部１６ｂが付勢するブラシホルダー１５の２点間の距離は、ズームレバー４が初期位置にある場合よりも大きくなるように変化する。
【００６９】
この場合、ズームレバー４を回動させている場合であっても、ホルダー付勢部１６ｂは、ブラシホルダー１５の反力Ｆ２が作用する（ブラシ１９を保持する）位置とは反対側を含みつつ、付勢力Ｆ１で付勢可能なブラシホルダー１５の範囲を更に広く出来る。従って、本実施形態に係るカメラ１は、ズームレバー４を回動させている場合であっても、ズームレバー４の傾き（動き）を効果的に防止（低減）することが出来る。
【００７０】
尚、本実施形形態では、ブラシホルダー１５に作用する反力Ｆ２と付勢力Ｆ１の力の大きさは略同一であるが、これに限定されるわけではない。例えば、付勢力Ｆ１の力の大きさが反力Ｆ２よりも小さい場合は、ブラシホルダー１５の回動中心からホルダー付勢部１６ｂからの付勢力が作用するまでの距離を、該ブラシホルダー１５の回動中心からブラシ１９までの距離よりも大きくすればよい。
【００７１】
逆に、付勢力Ｆ１の力の大きさが反力Ｆ２よりも大きい場合は、ブラシホルダー１５の回動中心からホルダー付勢部１６ｂが付勢するまでの距離を、該ブラシホルダー１５の回動中心からブラシ１９までの距離よりも小さくすればよい。即ち、反力Ｆ２の力の大きさ、及び、ブラシホルダー１５の回動中心から該反力Ｆ２が作用するまでの距離に合わせて、付勢力Ｆ１の力の大きさと、付勢力Ｆ１を作用させるブラシホルダー１５の位置を自由に決めるような構成であっても良い。
【００７２】
また、本実施形態において回動部は、ズームレバー４とブラシホルダー１５ととによって構成されているがこれに限定されるものではない。例えば、初期位置から予め決められた回動角度の範囲を回動可能な回動部が、１つの部材で構成されるようなものであっても良い。その場合、該回動部の操作基板２１と向かい合う面は、ブラシ１９の保持と、該ブラシ１９が保持された位置の反対側が腕部１６ａのホルダー付勢部１６ｂによって付勢されている。尚、上述したように、回動部を一つだけ設けるように構成されている場合は、少なくとも回動部の回動操作を行う部分がトップカバー１３よりも上側に位置するようにトップカバー１３を設ける。
【００７３】
更に、本実施形態では、ブラシ１９がブラシホルダー１５に保持されているような構成であるが、これに限定されるものではない。例えば、操作基板２１の複数の導電パターンと接触出来るようにブラシホルダー１５の一部を突出させて、ズームレバー４の回動量を検出するような構成であってもよい。即ち、ブラシホルダー１５とブラシ１９とが同一部材から形成されているような構成であっても良い。
【００７４】
また、本実施形態では、ズームレバー４を初期位置に付勢するために、ブラシホルダー１５の一部が突出して、ばね受け部１５ａを形成するような構成であるが、これに限定されるわけではない。例えば、ばね受け部１５ａを設けずに、トップカバー１３の一部を突出させ、該突出した部分を腕部１６ａによって挟み込んで当接するような構成であってもよい。即ち、トップカバー１３の突出した部分がばね受け部１５ａと同様の働きをするような構成であってもよい。
【００７５】
更に、本実施形態では、腕部１６ａは、ばね受け部１５ａを挟み込んで当接するように２つ設けられているが、これに限定されるものではない。例えば、ズームレバー４が初期位置となるように付勢可能であれば、腕部１６ａが１つだけ設けられているような構成であってもよい。この場合も、ブラシホルダー１５のブラシ１９が保持されている面であって、ブラシホルダー１５の回動中心に対して該ブラシ１９と反対側の位置を、１つだけ設けられた腕部１６ａがブラシホルダー１５の回動方向と直交する方向に付勢力Ｆ１で付勢する。
【００７６】
尚、本実施形態では、前述したように、ズームレバー４の回動量の検出だけでなく、ズームレバー４の回動に応じてブラシ１９の接片と操作基板２１の複数の導電パターンとの接触位置が変化することで、不図示の制御部によってズーム倍率の切り替えも行う。
【００７７】
（変形例）
前述した第１実施形態では、ブラシ１９が保持されたブラシホルダー１５の面と腕部１６ａが設けられている側の面は同一であった。即ち、反力Ｆ２と付勢力Ｆ１は、ブラシホルダー１５の同一の面であってそれぞれ反対側の位置に力が作用するような構成であった。本変形例では、ブラシ１９と腕部とが、ブラシホルダーの異なる面にそれぞれ設けられているような構成について説明する。尚、ズームレバーユニット以外の構成については前述の第１実施形態と同様であるので説明は省略する。
【００７８】
以下、図６を参照して、本変形例に係るカメラ１に係るズームレバーユニット内部の特徴的な部品の構成について説明する。尚、図６は、本変形例における、ズーム付勢ばねとブラシホルダーを例示的に示す図である。
【００７９】
本変形例のズームレバーユニットの内部に設けられた各部は、図６に示すように、カメラ１の上面側から順に、ズーム付勢ばね（以下、付勢ばねと称す）２６、ブラシホルダー２５、ブラシ１９の順に組み立てられている。尚、図６において、トップカバー１３、付勢ばね固定ビス１７は不図示だが、ブラシホルダー２５を挟んでブラシ１９と対向するような位置に腕部２６ａが位置するように、付勢ばね２６が付勢ばね固定ビス１７によってトップカバー１３に取り付けられている。また、上述した以外のズームレバーユニットを構成する各部品については、前述の第１実施形態と同様であるので説明は省略する。
【００８０】
ばね受け部２５ａは、付勢ばね２６が設けられている側の面に突出して設けられており、前述した第１実施形態と同様に、付勢ばね２６の腕部２６ａに挟み込まれるように当接している。即ち、前述する第１実施形態と同様に、ばね受け部２５ａは、二つの腕部２６ａによって挟み込んで当接可能に設けられている。
【００８１】
そして、ばね受け部２５ａと腕部２６ａとは、腕部２６ａの根元から先端部分に向けて当接部２６ｃ、２６ｄの順に当接する。また、二つの腕部２６ａにそれぞれ設けられたホルダー付勢部２６ｄは、前述した第１実施形態と同様に、それぞれｆ３、ｆ３’の付勢力でブラシホルダー２５を該ブラシホルダー２５の回動方向と直交する方向に付勢している。従って、腕部２６ａの全体としては、付勢力ｆ３、ｆ３’の合力である付勢力Ｆ３がブラシホルダー２５に作用している。尚、付勢力Ｆ３が作用するブラシホルダー２５の位置は、付勢力ｆ３、ｆ３’が作用する位置の略中間である。
【００８２】
以上の説明より、本変形例では前述した第１実施形態とは異なり、付勢ばね２６は、ブラシホルダー２５の反対側の面に設けられていることがわかる。即ち、腕部２６ａのホルダー付勢部２６ｂは、ブラシホルダー２５のブラシ１９が設けられて側（操作基板２１が設けられている側）の面とは反対側の面を付勢可能である。
【００８３】
また、ホルダー付勢部２６ｂがブラシホルダー２５の回動方向と直交する方向に付勢するブラシホルダー２５の位置は、ブラシホルダー２５を挟んでブラシ１９が保持された位置と略同一の位置である。この場合、図６に示す様に、ブラシホルダー２５に作用する反力Ｆ２と付勢力Ｆ３とは、互いにブラシホルダー２５を挟んで対向する位置に作用する。
【００８４】
以上の構成によって、本変形例においても、ズームレバー４が傾く（動く）ことを防止（低減）することが出来る。尚、これは本変形例の構成においても前述の第１実施形態と同様に、反力Ｆ２が作用するブラシホルダー２５に対して付勢力Ｆ３を作用させることで、該ブラシホルダー１５の全体に作用する力を略平衡化しているからである。
【００８５】
また、ズームレバー４が初期位置からテレ側、又はワイド側へと回動した場合は、腕部２６ａのホルダー付勢部２６ｂは、ブラシホルダー２５の回動に応じて、ブラシ１９に対して該ブラシホルダー２５を挟んで対向する位置を付勢することが出来る。即ち、ズームレバー４が回動した場合も、付勢力Ｆ３をブラシホルダー２５に作用させることによって、ズームレバー４が傾く（動く）ことを防止（低減）することが出来る。
【００８６】
この場合も、反力Ｆ２が作用するブラシホルダー２５に対して、付勢力Ｆ３を作用させることにより、該ブラシホルダー２５の全体に作用する力は略平衡化されている。
【００８７】
以上説明したように、本変形例の構成においても、ズームレバー４の回動の有無に関わらず、ズームレバー４が傾いてしまうことを防止することが出来る。即ち、本変形例のように、腕部２６ａとブラシ１９とが、ブラシホルダー２５の異なる面の側に設けられて（保持されて）いるような構成の場合も、前述した第１実施形態と同等の効果を得ることが出来る。
【００８８】
尚、本変形例では、ブラシホルダー２５を挟んでブラシ１９が保持されている側（操作基板２１の側）とは反対側のブラシホルダー２５の面にホルダー付勢部２６ｂにより付勢を行うため、ズーム付勢ばね２６を取り付けるために新たなスペースが必要となる。従って、本変形例の構成では前述した第１実施形態と比較して、ズームレバー４の回動方向と直交する方向の厚みが大きくなる。それに伴ってカメラ１も大きくなってしまう可能性はあるが、前述した第１実施形態と同様の効果を得ることは可能である。
【００８９】
以上、本発明の好ましい実施形態について説明したが、本発明はこれらの実施形態に限定されず、その要旨の範囲内で種々の変形及び変更が可能である。
【００９０】
例えば前述した第１実施形態では、ブラシホルダー１５の回動方向において、ばね受け部１５ａの１側面と当接する腕部１６ａとの当接部は１６ｃと１６ｄの２つであるがこれに限定されるものではない。例えば、腕部１６ａの形状を変化させて、ブラシホルダー１５の回動方向のばね受け部１５ａの１側面において、２つ以上の位置で腕部１６ａと当接するような構成であっても良い。逆に、ブラシホルダー１５の回動方向のばね受け部１５ａの１側面において、腕部１６ａとの当接部が１つだけであっても構わない。
【００９１】
また、前述の第１実施形態では、腕部１６ａは根元から先端部分に向けて一部が曲線を描くように折り返さる構成であったがこれに限定されるものではない。例えば、腕部１６ａのホルダー付勢部１６ｂは、曲線ではなく所謂くの字状の凸形状であっても良い。更に、腕部１６ａのホルダー付勢部１６ｂの形状を凸形状意外にしても構わない。例えば、腕部１６ａは、根元から先端部分まで単純な直線形状であって、先端部分の一点だけでブラシホルダー１５を付勢するような構成であっても良い。また、ホルダー付勢部１６ｂを形成せずに、腕部１６ａの全体とブラシホルダー１５とが線的に当接することで、ブラシホルダー１５を付勢するような構成であっても良い。
【００９２】
即ち、腕部１６ａの形状やばね受け部１５ａとの当接部の数はどのようなものであっても、前述したような本発明の効果を得ることは可能である。そして、反力Ｆ２が作用するブラシホルダー１５に対して、該ブラシホルダーの全体に作用する力を平衡化出来るような位置に、付勢力Ｆ１を付勢可能な構成であれば前述したような本発明の効果を得ることが出来る。そして、本発明は、ブラシホルダー１５の回動方向の付勢と、回動方向と直交する方向の付勢とを同じ部材で実現可能とすることで、部品点数を増加させることなく上述した構成を実現することが出来る。
【００９３】
更に、前述した第１実施形態では、本発明を撮像装置におけるズーム操作用いるズームレバーに適用した場合について説明したが、その他の機能の操作に用いる操作部材に適用しても構わない。例えば、記録媒体に記録された複数の画像の内の１つを画像表示部に表示される再生モードにおいて、表示させる画像を次の画像に変更する画像送り操作を行う操作部材に適用しても構わない。
【００９４】
また、上述した画像送り操作のような、撮像装置以外の電子機器でも実行可能な機能の操作に用いる操作部材にも適用可能であるため、操作部材への操作量に応じて対応する機能の制御値を切替えることができる電子機器であれば本発明を適用することが出来る。
【００９５】
尚、上述したような種々の変形及び変更は、前述の第１実施形態だけでなく前術した変形例に適用することももちろん可能である。
【符号の説明】
【００９６】
１  カメラ
４  ズームレバー（操作部材）
１５  ブラシホルダー（保持部材）
１６  ズーム付勢ばね（付勢部材）
１６ａ  腕部
１９  ブラシ（接触部材）
２１  操作基板（基板）
【図１】
2015052640.tif 000003
【図２】
2015052640.tif 000004
【図３】
2015052640.tif 000005
【図４】
2015052640.tif 000006
【図５】
2015052640.tif 000007
【図６】
2015052640.tif 000008